(57)【特許請求の範囲】
【請求項１】
遊技盤及び該遊技盤を覆うガラス板を支持する前扉と、該前扉を支持する筐体と、前記遊技盤に設けられた遊技領域の前記ガラス板奥側に配置されて入賞口を開閉するように回動し得る入賞開閉部材と、を備え、前記遊技領域に遊技球を打ち出して遊技してなる弾球遊技機において、
開放状態の前記入賞開閉部材を強制的に閉止する強制閉止機構を備え、
該強制閉止機構は、前記遊技盤側に押圧される前記ガラス板の前記前扉に対する移動に伴って同方向に移動する移動部材と、該移動部材の移動に連動して開放状態の前記入賞開閉部材を閉止方向に回動させる閉止部材と、を有してなる、
ことを特徴とする弾球遊技機。
【請求項２】
前記移動部材は、前記遊技領域の奥行き方向に移動自在に支持されて、前記入賞開閉部材の開放状態で前記ガラス板内面に一端部を近接させるロッド部材であり、
前記閉止部材は、前記遊技盤側に前記ガラス板が移動する際に前記一端部を押される前記ロッド部材の他端部から力を受けて前記入賞開閉部材を閉止方向に回動させるように作動する被作動部材である、
請求項１記載の弾球遊技機。
【請求項３】
前記被作動部材は、前記ロッド部材の前記他端部の一方向の押圧力を、前記入賞開閉部材の前記閉止方向への回動力に変換するカム部材である、
請求項２記載の弾球遊技機。
【請求項４】
前記被作動部材は、前記ロッド部材の前記他端部の一方向の押圧力を、前記入賞開閉部材の前記閉止方向への回動力に変換するリンク部材である、
請求項２記載の弾球遊技機。
【発明の詳細な説明】
【技術分野】
【０００１】
本発明は、パチンコ機等の弾球遊技機に係り、詳しくは、開放した入賞開閉部材を保持して入賞を不正に得ようとする不正行為を防止し得る弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（特許文献１参照）。
【０００３】
この種のパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
一方、以下のようなパチンコ機も知られている（特許文献２参照）。該パチンコ機は、遊技領域の中央部に、開閉動作する羽根を左右に備えたセンター役物を有すると共に、該センター役物の左下方に始動口を有し、右側に大当たり始動口を有し、更に、下部中央に大入賞口を有している。該パチンコ機では、遊技中、始動口に入賞するごとに一定の回数ずつ羽根が開閉動作する。この際、打ち出された遊技球がタイミング良く羽根に拾われてセンター役物内に入球すると、該遊技球は、上部プレート上を遊技盤後方に一旦転動して落下する。遊技球は、障害装置を回避して落下するか該障害装置に衝突して進路を変えて落下し、アウト口かＶゾーンへの落下口の何れかに入る。
【０００５】
Ｖゾーンへの落下口には、一方向にゆっくり回転する回転体が配置されており、該回転体は、通常Ｖゾーン溝と特別Ｖゾーン溝を点対称の状態に備えている。通常Ｖゾーン溝に入球した場合、継続スイッチのオンにより、羽根が例えば１８回開閉動作し、その間に所定数の遊技球が入賞すると、羽根の開閉動作が終了する。この際に、遊技球が通常Ｖゾーン溝に入賞すると、継続スイッチの働きにより羽根の開閉動作及び入賞球数がリセットされ、大当たり動作が継続する形で再度開始される。そして、通常Ｖゾーン溝への入賞で開始した羽根の開閉動作のカウント数が所定数に達したとき最終ラウンドになり、その際、回転体の回転で特別Ｖゾーン溝が上方を向いたタイミングで該特別Ｖゾーン溝に入賞すると、大当たり始動口が有効になる。この状態で、該大当たり始動口に入賞すると、センター役物の下方の大入賞口が所定時間又は所定数の入賞が完了するまで開放動作を繰り返す。
【０００６】
【特許文献１】特開２００５−３１２９０２号公報
【特許文献２】特開２００２−１６５９５５号公報
【発明の開示】
【発明が解決しようとする課題】
【０００７】
ところで、上記特許文献２に記載されるような、羽根の開閉動作時の入球により大当たり抽選を機械的に行う形式のパチンコ機にあっては、始動口に入賞して羽根部材が１回、２回と開放するタイミングに合わせてガラス板を押しつけ、該ガラス板の外周縁部を支持している前扉の一部を遊技盤側に撓ませることで、羽根を開閉位置に長く停止させて不正に入球数を多くする不正行為（所謂ゴト行為）が存在する。つまり、該ゴト行為では、外周縁部を撓ませてガラス板を遊技盤側に移動させると、センター役物におけるガラス板側に多く突出して該ガラス板内面に近接する部分が強く押し込まれ、これに起因して、センター役物と一体に成形された羽根の回動部等が歪んで回動動作が損なわれ、開放状態のまま保持されることになる。不正行為者（所謂ゴト師）は、この状態で、遊技球をセンター役物内に不正に多く入球させてＶゾーンを狙う機会を増やすことになるため、ガラス板を押しつけても不正行為を実行できないような構造のパチンコ機の出現が望まれる。
【０００８】
そこで本発明は、ガラス板を押しつけて、開放した羽根（入賞開閉部材）を保持して入球数を不正に増やすような不正行為を確実に防止し得るように構成し、もって上述した課題を解決した弾球遊技機を提供することを目的とするものである。
【課題を解決するための手段】
【０００９】
請求項１に係る本発明は（例えば図１ないし図７参照）、遊技盤（７）及び該遊技盤（７）を覆うガラス板（６）を支持する前扉（３）と、該前扉（３）を支持する筐体（２）と、前記遊技盤（７）に設けられた遊技領域（７ａ）の前記ガラス板奥側に配置されて入賞口（３０又は７８）を開閉するように回動し得る入賞開閉部材（３７又は７９）と、を備え、前記遊技領域（７ａ）に遊技球（Ｂａ）を打ち出して遊技してなる弾球遊技機（１）において、
開放状態の前記入賞開閉部材（３７又は７９）を強制的に閉止する強制閉止機構（７３，７１又は８１，９０）を備え、
該強制閉止機構は、前記遊技盤側に押圧される前記ガラス板（６）の前記前扉（３）に対する移動に伴って同方向に移動する移動部材（７３又は８１）と、該移動部材（７３又は８１）の移動に連動して開放状態の前記入賞開閉部材（３７又は７９）を閉止方向に回動させる閉止部材（７１又は９０）と、を有してなる、
ことを特徴とする弾球遊技機（１）にある。
【００１０】
請求項２に係る本発明は（例えば図１及び図４参照）、前記移動部材は、前記遊技領域（７ａ）の奥行き方向に移動自在に支持されて、前記入賞開閉部材（３７又は７９）の開放状態で前記ガラス板内面に一端部（７３ａ又は８１ａ）を近接させるロッド部材（７３又は８１）であり、
前記閉止部材は、前記遊技盤（３）側に前記ガラス板（６）が移動する際に前記一端部（７３ａ又は８１ａ）を押される前記ロッド部材（７３又は８１）の他端部（７３ｂ又は８１ｂ）から力を受けて前記入賞開閉部材（３７又は７９）を閉止方向（図４(b)の矢印Ｃ、図７(c)の矢印ｃ）に回動させるように作動する被作動部材（７１又は９０）である、
請求項１記載の弾球遊技機（１）にある。
【００１１】
なお、本発明において、上記「近接」とは、ガラス板とロッド部材の一端部との間に僅かな隙間が存在する状態は勿論、完全に接触して双方の間に隙間が無い状態をも含む広い概念である。
【００１２】
請求項３に係る本発明は（例えば図４参照）、前記被作動部材は、前記ロッド部材（７３）の前記他端部（７３ｂ）の一方向（図４(b)の矢印Ａ方向）の押圧力を、前記入賞開閉部材（３７）の前記閉止方向（図４(b)の矢印Ｃ方向）への回動力に変換するカム部材（７１）である、
請求項２記載の弾球遊技機（１）にある。
【００１３】
請求項４に係る本発明は（例えば図６及び図７参照）、前記被作動部材は、前記ロッド部材（８１）の前記他端部（８１ｂ）の一方向（図７の(c)の矢印ｂ方向）の押圧力を、前記入賞開閉部材（７９）の前記閉止方向（図７の(c)の矢印ｃ方向）への回動力に変換するリンク部材（９０）である、
請求項２記載の弾球遊技機（１）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、開放状態の入賞開閉部材を強制的に閉止する強制閉止機構が、遊技盤側に押圧された際のガラス板の移動に伴って同方向に移動する移動部材と、該移動部材の移動に連動して開放状態の入賞開閉部材を閉止方向に回動させる閉止部材とを有するので、不正行為者が、入賞開閉部材が開放したタイミングでガラス板を強く押しつけ、該入賞開閉部材を開放位置に保持して入賞口からの入球を不正に行おうとしても、移動するガラス板によって移動部材が先ず押し込まれることで、該移動部材の移動に連動して閉止部材が入賞開閉部材を閉止する。これにより、ガラス板を押しつけて入賞開閉部材を開放状態に保持して入球数を不正に増やそうとしても、そのような不正行為を確実に防止することができる。
【００１６】
請求項２に係る本発明によると、ロッド部材の一端部をガラス板内面の近傍に配置すると共に、該ロッド部材の移動に応じて被作動部材により入賞開閉部材を閉止方向に回動させるだけの簡単な構成で、不正行為を確実に阻止し得る強制閉止機構を実現することができ、部品点数を削減し、コストダウンを図ることができる。
【００１７】
請求項３に係る本発明によると、被作動部材が、ロッド部材の他端部の一方向の押圧力を、入賞開閉部材の閉止方向への回動力に変換するカム部材であるので、カム部材を回動させるだけで入賞開閉部材を強制的に閉止する構造を、よりシンプルにすることができる。
【００１８】
請求項４に係る本発明によると、被作動部材が、ロッド部材の他端部の一方向の押圧力を、入賞開閉部材の閉止方向への回動力に変換するリンク部材であるので、リンク部材を回動させるだけで入賞開閉部材を強制的に閉止する機構を一層簡単化して、装置構成をより簡素にすることができる。
【発明を実施するための最良の形態】
【００１９】
＜第１の実施の形態＞
以下、本発明に係る弾球遊技機の実施形態として、遊技場等に設置されるパチンコ機を図面に沿って説明する。なお、第１の実施の形態では、本発明の弾球遊技機を所謂第２種特別電動役物を使用したパチンコ機として述べるが、本発明はこれに限らず、後述する第２の実施の形態のような所謂第１種特別電動役物や、所謂第３種特別電動役物等を使用したパチンコ機、或いはこれらが適宜組み合わされた機能を有するパチンコ機にも適用可能であることは勿論である。
【００２０】
ここで、図１及び図２を参照して、パチンコ機１の概略を説明する。図１は本発明に係る実施の形態におけるパチンコ機１の外部構造を示す正面図、図２は本パチンコ機１の遊技盤及び遊技領域を拡大して示す正面図である。
【００２１】
図１に示すように、本パチンコ機１は、開口を有する枠体状の筐体２と、該筐体２に開閉自在に装着（支持）された前扉３とを有しており、前扉３の前面には、透明ガラス（ガラス板）６を有するガラス枠５が開閉自在に取り付けられている。透明ガラス６の奥側には、遊技盤７が配設されている。つまり、前扉３は、遊技盤７及び該遊技盤７を覆う透明ガラス６の双方を支持している。なお、本実施の形態では、透明ガラス６は図１及び図２において明確には描かれていないが（図７には透明ガラス６を部分的に表示）、該透明ガラス６は、前扉３に備えられたガラス枠５によって外周縁部を支持された状態で遊技領域７ａの全域を覆い、その内面には、後述するロッド部材７３の一端部７３ａ（図７ではロッド部材８１の一端部８１ａ）が近接している。各実施の形態において、この「近接」とは、双方の間に僅かな隙間が存在する状態は勿論、完全に接触して双方の間に隙間が無い状態をも含む広い概念である。
【００２２】
前扉３における遊技盤７の左右上方には演出用照明装置９が配設されており、前扉３における遊技盤７の左下方にはスピーカー（図示せず）を有する放音装置１０が配設されている。また、ガラス枠５における右側部には、前扉３を筐体２側に施錠／解放するための施錠装置１１が配設されている。なお、筐体２及び前扉３等から遊技機本体が構成されている。
【００２３】
前扉３における遊技盤７の下方には上皿１２が設けられており、上皿１２における左上部には、賞球及び貸球を含む遊技球が供給される球供給口１３が設けられ、上皿１２における右上部壁面には、球貸ボタン１４ａ及び返却ボタン１４ｂが設けられている。
【００２４】
また、前扉３における上皿１２の下方には下皿１５が配設されており、該下皿１５の右部には、球発射装置１６（図５参照）を操作して遊技球を遊技領域７ａに向けて打ち出すための発射ハンドル１７が配設されている。更に下皿１５には、上皿１２からオーバーフローした遊技球が放出される球放出口１９が形成されており、下皿１５の左部には灰皿２０が配設されている。なお、図１中の符号２１は、発射ハンドル１７の操作で発射された遊技球を遊技領域７ａに導くガイドレールを示し、符号２２はアウト口を示している。また、本パチンコ機１には、遊技中に遊技領域７ａにて入賞することなく落下してアウト口２２に入り込んだ遊技球をパチンコ機背面側に導くアウト球通路（図示せず）が設けられている。下皿１５の手前側には、該下皿１５に貯留した遊技球を下方に置いた賞球箱（図示せず）に排出するための球抜きレバー２３が配設されている。
【００２５】
一方、遊技領域７ａ内に配設された入賞口は、全て遊技球が入賞した場合に所定数の遊技球を賞球するように機能するが、単に遊技球の賞球のみを行うものと、賞球以外の他の機能を有するものとが存在している。具体的には、遊技領域７ａの中央左右に設けられた入賞口２５と、遊技領域７ａの左右下方に設けられた、後述する遊技球誘導ユニット２６に配設された入賞口２７とが、賞球のみ行う入賞口である。また、遊技領域７ａの中央に設けられたセンター役物２９の上部左右に配設される特定入賞口３０と、遊技領域７ａの中央下部に縦に整列されて配設される第１及び第２入賞口３１，３２とが、賞球以外の他の機能を有する入賞口である。なお、上記センター役物２９については、図３を用いて後に詳述する。なお、上記センター役物２９は、遊技領域７ａに、該遊技領域７ａに打ち出された遊技球Ｂａを受け入れて機械的に当たり抽選を実行する入球役物を構成している。
【００２６】
図２に示すように、第１入賞口３１及び第２入賞口３２の左右方向に配設された遊技球誘導ユニット２６は、遊技領域７ａに打ち出されて落下してきた遊技球を誘導する誘導部材３３と、該誘導部材３３を延長させる可動部材３５とにより構成されている。誘導部材３３は、可動部材３５と該可動部材３５を駆動するソレノイド（図示せず）とを収容した状態で、遊技盤７の取付穴（図示せず）にネジ止め固定されている。可動部材３５は、奥行き方向（図２の紙面奥側）に向かう略々三角柱形状を呈しており、可動部材３５の最下部頂点に設けられた連結点（図示せず）を軸として回動（揺動）するように誘導部材３３に支持されている。誘導部材３３の上部には、遊技領域７ａの中央部に向かって下降するように傾斜する遊技球誘導路３６が形成されているので、遊技領域７ａに打ち出されて落下してくる遊技球が、遊技球誘導ユニット２６の上面側に落下した際には、該誘導路３６上を遊技領域７ａの中央部に向かって転動することとなる。
【００２７】
一方、前述したセンター役物２９が有する特定入賞口３０は、通常時において羽根部材３７によって閉鎖されている。しかし、遊技球が、第１入賞口３１又は第２入賞口３２に入賞した際には、羽根部材３７が後述する大入賞口ソレノイド３９によって開閉駆動されることによって、一定時間（約０．５秒）だけ開放状態となる。上記羽根部材３７は、遊技領域７ａにおける透明ガラス６の奥側に配置されて、即ちセンター役物２９に設けられて、遊技領域７ａの奥行き方向（前後方向）に延びる軸３８を中心に回動して開閉動作する入賞開閉部材を構成している。
【００２８】
すなわち、第１入賞口３１及び第２入賞口３２への入賞は、通常の賞球のみならず、センター役物２９の特定入賞口３０を開放させる条件ともなっている。具体的には、第１入賞口３１に遊技球が入賞した際には、羽根部材３７が駆動されることによって、特定入賞口３０が１回だけ開放状態となる。また、第２入賞口３２に遊技球が入賞した際には、第１入賞口３１に入賞したときと同様な特定入賞口３０の開放が２回実行される。これにより、第１入賞口３１へ入賞したときよりも第２入賞口３２に入賞したときの方が、特定入賞口３０への遊技球の入賞可能性は高まる。
【００２９】
ところで、遊技領域７ａには、センター役物２９の左右上方及び左右下方にそれぞれ風車４０が配設されている。また、遊技領域７ａにおけるセンター役物２９の周囲には、発射されてからセンター役物２９に関与せずに落下してくる遊技球を適宜散らし、第１入賞口３１、第２入賞口３２等に対し、入球に導くようにするための多数の障害釘が打ち込まれている。なお、上記風車４０、障害釘及び各種入賞口は、配設位置や数については設計に応じて適宜変更され得るものである。
【００３０】
次に、センター役物２９について、図１ないし図３を参照して詳細に説明する。図３はセンター役物２９の内部領域を拡大して概略的に示すもので、（ａ）はＶゾーン案内装置４５が正面を向いた時点での正面図、（ｂ）はＶゾーン案内装置４５が横方向を向いた時点での正面図である。
【００３１】
センター役物２９の上部には、図２に示したような、本パチンコ機１の名称やロゴ等を模った装飾部材４１が配設されており、その下方には、センター役物２９に備えた略々台形形状の開口部４２から露出されるように図柄表示装置４３が配設されている。該図柄表示装置４３の左右下部には、特定入賞口３０を開閉する前述した羽根部材３７が回動自在に配設されている。
【００３２】
センター役物２９の特定入賞口３０内方における遊技球入賞口４６，４７，４６の直上方には、人間を模った立体造形物からなるＶゾーン案内装置４５が配置されている。また、左右の特定入賞口３０の各直下方であってセンター役物２９の左右外側部には、センター役物２９を装飾する外枠部材４９（図１及び図２参照）が形成され、更にそのやや内側には、図３に示すように、特定入賞口３０の下方からセンター役物２９の中央部を囲うような装飾性のある波形の壁部材５０が形成されている。この壁部材５０の下方端部、即ちセンター役物２９の底部には、センター役物２９に導入された遊技球を入賞させる上記遊技球入賞口４６，４７，４６が、それぞれの開口部が水平で同じ高さとなるような横並びの状態に配設されている。
【００３３】
Ｖゾーン案内装置４５は、入賞口３０から導入された遊技球を遊技球入賞口４６，４７，４６のいずれかへ誘導する誘導路５１を構成している。ここで、図３に示す矢印Ｌ１，Ｌ２は、該Ｖゾーン案内装置４５により誘導される遊技球の進路の例を示している。
【００３４】
遊技球入賞口４６（以下、一般入賞口４６ともいう）は、遊技領域７ａに設けられた入賞口２５，２７と同様、遊技球の入賞をもって賞球される入賞口である。また、遊技球入賞口４７（以下、Ｖゾーン入賞口４７という）は、所謂一般的なＶゾーンと呼ばれる特別な入賞口であり、遊技球の入賞により大当たり抽選実行の契機となり得る入賞が行われ、パチンコ機１を特定の遊技状態に移行させるものとなっている。
【００３５】
上記Ｖゾーン入賞口４７への誘導路５１を形成するＶゾーン案内装置４５は、人間の上半身を模った上部４５ａと、下半身を模った下部４５ｂとから構成されており、上部４５ａはモータ５２（図５参照）によって図３の回動軸Ｘを中心として矢印Ｅに示される向きに回動される。この上部４５ａには、入賞口３０からの遊技球を鉛直下方に誘導する誘導路５１が備えられ、下部４５ｂには、その前面中央部に貫通穴５３ａを有した太鼓形状のドラム５３が備えられている。
【００３６】
そして、上部４５ａが、上記矢印Ｅの向きに回動した際には誘導路５１も回動することとなり、その回動角度によっては、図３（ａ）に示すように、誘導路５１を通過した遊技球が矢印Ｌ１に沿ってドラム５３の貫通穴５３ａに導入され、Ｖゾーン入賞口４７へ高確率で入賞する。また、図３（ｂ）に示すように、誘導路５１がドラム５３の直上方から外れた角度に回動されている際には、遊技球はドラム５３の貫通穴５３ａに導入されず、その外側へと落下し、多くの場合は遊技球入賞口４６に入賞することとなる。
【００３７】
ここで、開放状態の羽根部材３７を強制的に閉止する強制閉止機構について、図１、図２及び図４を参照して説明する。なお、図４は強制閉止機構を拡大して詳細に示す斜視図であり、（ａ）は羽根部材３７の開放時における強制閉止機構の状態を示し、（ｂ）は強制閉止機構によって羽根部材３７を閉止した状態を示している。なお、上記強制閉止機構は、後述するカム部材７１とロッド部材７３とから構成されている。
【００３８】
図４（ａ）に示すように、透明ガラス６の遊技領域７ａでは、該遊技領域７ａの前後方向（即ち、図１の紙面手前−奥方向）に周知の支持機構（図示せず）で回動自在に軸３８が支持されており、該軸３８には、先端部に羽根部材３７の基部が孔３７ａを貫通させた状態で固定され、かつ後端部に連動アーム７４の後端部が固定されている。該連動アーム７４の先端部に対応する位置にはソレノイド７５が配置されており、該ソレノイド７５のプランジャ７５ａは連動アーム７４の上記先端部にピン７６を介して回動自在に連結されている。羽根部材３７及び連動アーム７４は、図４（ａ）に示すプランジャ７５ａの突出状態（進出位置）にあっては羽根部材３７が特別入賞口３０を開放する位置に回動し、図４（ｂ）に示すプランジャ７５ａの退避状態（後退位置）にあっては羽根部材３７が特別入賞口３０を閉止する位置に回動するように軸３８に対する角度を決められて固定されている。なお、本実施の形態におけるソレノイド７５は、内部の圧縮スプリング（図示せず）の付勢力でプランジャ７５ａを突出させる一方、励磁することでプランジャ７５ａを吸着して内部側に後退させるように構成されている。
【００３９】
上記軸３８の中央部には、カム部材（閉止部材、被作動部材）７１が固定されている。また、軸３８の下方には、長尺のロッド部材（移動部材）７３を遊技領域７ａの前後方向に摺動自在に移動ガイドする２枚の支持部材７２が配置されている。これら支持部材７２は、それぞれ案内孔７２ａを有しており、これら案内孔７２ａにてロッド部材７３を遊技領域７ａの前後方向に摺動自在に案内し得るように位置決めして固定されている。上記ロッド部材７３は、支持部材７２によって遊技領域７ａの奥行き方向に移動自在に支持された状態で、羽根部材３７の開放時に透明ガラス６の内面に一端部７３ａを近接させるように構成されており、遊技盤７ａ側に押圧された際の透明ガラス６の微少移動に連動して同方向に移動する。該ロッド部材７３は、センター役物２９の他のいずれの部位、及び遊技領域７ａ内にあるいずれの遊技部品よりも透明ガラス６内面側に近接しており、該透明ガラス６が不正に押し込まれた際には真っ先に一端部７３ａが押圧されるように構成される。
【００４０】
該カム部材７１は、ロッド部材７３の移動に連動して開放状態の羽根部材３７を閉止するように構成されている。つまり、該カム部材７１は、遊技盤７側に透明ガラス６が微少移動する際に一端部７３ａを押されるロッド部材７３の他端部７３ｂから力を受けて羽根部材３７を閉止方向（図４(b)の矢印Ｃ）に回動させるように作動するものであり、ロッド部材７３の他端部７３ｂの一方向（図４(b)の矢印Ａ方向）の押圧力を、羽根部材３７を閉止する方向（図４(b)の矢印Ｃ方向）への回動力に変換する。
【００４１】
詳細には、カム部材７１は、全体的に楕円形状に形成されてその一端側が軸３８に固定され、かつ他端側がロッド部材７３の他端部７３ｂにカム面７１ａが接触可能な位置となるように軸３８に固定されている。カム面７１ａは、図４（ａ）の羽根部材３７の開放位置において他端部７３ｂから上方に向かって次第に離れるように切り込まれた形状を呈しており、同図の状態において透明ガラス６が押し込まれてロッド部材７３が同方向（図４(b)の矢印Ａ方向）に移動すると、支持部材７２により軸３８に対する相対位置を決められた該ロッド部材７３が、カム部材７１のカム面７１ａに接触しつつ奥方向に移動するため、カム部材７１はカム面７１ａを他端部７３ｂ側に滑り込ませるようにしながら軸３８を中心として同図時計回り方向（図４(b)の矢印Ｂ方向）に回動することになる。
【００４２】
この際、ソレノイド７５は、プランジャ７５ａをソレノイド本体から突出させた状態で羽根部材３７を開放位置に保持しているが、カム部材７１とともに同方向（図４(b)の矢印Ｄ方向）に回動する連動アーム７４により、ソレノイド本体内部のスプリング（図示せず）の付勢力に抗して押し込まれる形で、図４（ｂ）に示す状態に退避してカム部材７１の回動を許容する。これにより、羽根部材３７が時計回り方向（図４(b)の矢印Ｃ方向）に回動して閉止位置になる。
【００４３】
次に、本実施形態におけるパチンコ機１の制御系を図５に沿って説明する。図５は本パチンコ機１の全体の制御系を示すブロック図である。すなわち、本制御系は、大きく分けて、遊技制御装置６０と、排出制御装置６１をはじめとするその他の周辺装置等とによって構成されている。
【００４４】
遊技制御装置６０は、本パチンコ機１における抽選手段及び画像処理手段が構成される装置となっており、遊技盤７の裏面に取り付けられた役物制御ユニット（図示略）により実現されている。遊技制御装置６０は、パチンコ遊技等に必要な役物制御を行うワンチップマイコンからなる遊技用マイクロコンピュータ６２と、水晶の発振周波数を分周して所定のクロックを得るクロック生成回路（ＣＬＫ）６３と、各種信号の入出力を行う入出力インターフェース６４とを有している。遊技用マイクロコンピュータ６２は、ＣＰＵ６２ａ、ＲＯＭ６２ｂ、ＲＡＭ６２ｃを内蔵しており、所謂アミューズチップ用のＩＣとして製造されている。
【００４５】
遊技制御装置６０の入出力インターフェース６４には、第１入賞口センサ６５、第２入賞口センサ６６、入賞口センサＡ１〜Ａ３、及びセンター役物２９における継続センサ６７からの検出信号が入力される。第１入賞口センサ６５は、第１入賞口３１への入賞を検出するセンサであり、第２入賞口センサ６６は、第２入賞口３２への入賞を検出するセンサであり、更に入賞口センサＡ１〜Ａ３は、一般入賞口２５，２７，４６への入賞をそれぞれ検出するセンサである。また、継続センサ６７は、センター役物２９に入賞した遊技球のうち、Ｖゾーン入賞口４７にＶ入賞した遊技球を検知する（Ｖ入賞検知信号を検知する）センサである。なお、一般入賞口がＮ個ある場合には、入賞口センサもこれに対応してＮ個配設させることとなる。
【００４６】
一方、入出力インターフェース６４からは、放音装置１０を放音駆動して効果音などの出力制御を行う音声出力制御装置６８、演出用照明装置９や図柄表示装置４３等の制御を行う演出制御装置６９、センター役物２９の羽根部材３７を駆動する大入賞口ソレノイド３９、Ｖゾーン案内装置４５を駆動するモータ５２、球発射装置１６を制御する発射制御装置７０、ソレノイド７５に信号が出力される。
【００４７】
また、入出力インターフェース６４からは、排出制御装置６１にも賞球制御情報の信号が出力される。なお、賞球制御情報の内容としては、賞球数情報や排出条件等の情報が出力される。排出制御装置６１は、遊技制御装置６０から入力される賞球制御情報に基づいて、排出ユニット（不図示）を駆動して遊技球を排出する制御を行うものである。すなわち、遊技制御装置６０は、遊技領域７ａの各入賞口に設けられた第１入賞口センサ６５、第２入賞口センサ６６、入賞口センサＡ１〜Ａ３によって入賞が検出されると、各入賞口の入賞価値に対応して予め設定された賞球数情報を、排出制御装置６１へ送信する。そして、排出制御装置６１では、この賞球数情報を受信して、それに応じた賞球排出制御を行う。
【００４８】
一方、前述した抽選手段は、Ｖゾーン入賞口４７に対応する継続センサ６７からのＶ入賞検知信号の受信時、大当たり確定に伴う特定入賞口３０を開閉継続させるラウンド数を、ＲＯＭ６２ｂに格納された演出乱数値に基づく抽選で決定する。このラウンド数は、３、７、１５回の３通りがあり、この３と７の各ラウンドの最後に前述したＶ入賞検知信号を受信した場合には、再び次のラウンド数の抽選がなされ、最高１５ラウンドまで大当たり遊技が継続される。そして、上記抽選手段による大当たり抽選の確定に際しては、遊技制御装置６０による演出用照明装置９や図柄表示装置４３等の各種発光・表示演出が適時になされる。なお、本実施形態においては、大当たり遊技中、特定入賞口３０に遊技球が１０個入賞するか、特定入賞口３０が１５回開閉されると１ラウンドの終了となる。
【００４９】
次に、本パチンコ機１による作用について説明する。すなわち、本パチンコ機１に対面して着座した遊技者が発射ハンドル１７を握り、適宜の角度に回動操作した際には、発射制御装置７０がその回転角に基づいて球発射装置１６を制御し、それにより、該球発射装置７２の作動で遊技球を所定の時間間隔で遊技領域７ａに向けて連続的に発射させる。すると、遊技領域７ａに打ち出されて転動落下する多数の遊技球は、入賞口２５，２７等に適時入賞し、或いは、これらに関与せずに転動落下して、遊技領域７ａ最下部のアウト口２２から遊技盤７背面側に排出される。
【００５０】
このような遊技中、遊技球誘導ユニット２６において、可動部材３５が揺動されていない通常の状態にあっては、可動部材３５は誘導部材３３内に収容されており、該可動部材３５の側面が遊技球誘導路３６から延長された状態となっていない。このとき、遊技領域７ａに打ち出された遊技球が、誘導部材３３の上部に落下した際には、遊技球は遊技球誘導路３６に沿って転動し、該遊技球誘導路３６の終端に到達した後で下方に落下する。
【００５１】
また、可動部材３５が揺動されていない通常の状態にあって、遊技領域７ａに打ち出された遊技球が、遊技球誘導路３６の終端よりも中心部側、即ち、該終端と入賞口３１，３２との間に落下した際には下方に落下する。この場合の遊技球は、遊技領域７ａに配設された障害釘に適宜に当接するなどし、多くの場合はそのまま下方へと落下することになる。
【００５２】
一方、可動部材３５が揺動された特別な状態にある場合には、該可動部材３５の側面は誘導部材３３の遊技球誘導路３６から延長された状態となる。このとき、誘導部材３３の上部に遊技球が落下すると、該遊技球は誘導路３６に沿って転動し、引き続き可動部材３５の側面へ移動して、第２入賞口３２に向かって落下する。
【００５３】
遊技球が第１入賞口３１に入賞した際には、センター役物２９の羽根部材３７が、大入賞口ソレノイド３９によって１回の開閉動作（約０．５秒間）を行う。また、遊技球が第２入賞口３２に入賞した際には、センター役物２９の羽根部材３７は、大入賞口ソレノイド３９によって２回の開閉動作（約０．５秒間）を行う。このようにして羽根部材３７が開放状態となった際に、遊技領域７ａに打ち出された遊技球の中には、特定入賞口３０からセンター役物２９内へと導入されるものがある。
【００５４】
そして、センター役物２９内に導入された遊技球は、Ｖゾーン案内装置４５等に当接しながら落下し、遊技球入賞口４６もしくはＶゾーン入賞口４７に向かう。このとき、Ｖゾーン案内装置４５における上部４５ａは、遊技制御装置６０からの指令によりモータ５２が駆動制御されることによって、矢印Ｅの向きに所定の速度で周期的に回動（１往復を約１０秒間）している。そして、遊技制御装置６０は、センター役物２９内に導入された遊技球が、矢印Ｌ１で示される経路を通過してＶゾーン入賞口４７に入賞したと判断すると、これに応じた演出、例えば「Ｖゾーン入賞」の文字を図柄表示装置４３に表示制御する。
【００５５】
遊技球がＶゾーン入賞口４７に入賞すると、大当たりの種別、つまり大当たり遊技において特定入賞口３０を開閉させるラウンド数の決定が、遊技制御装置６０における抽選手段にてなされる。このラウンド数が決定されると、大入賞口ソレノイド３９の駆動により羽根部材３７が作動され、特定入賞口３０が開閉動作される大当たり遊技が開始される。ここで、特定入賞口３０が開いた際に、遊技領域７ａに打ち出された遊技球が該特定入賞口３０からセンター役物２９内に導入されると、前述した誘導路５１等の経路を経て、遊技球入賞口４６もしくはＶゾーン入賞口４７に入賞されることとなる。
【００５６】
加えて、例えば、上記大当たり遊技において当初のラウンド数が３回に決定された場合、この３回目の最終ラウンド中にＶゾーン入賞口４７が入賞した場合には、再びラウンド数の決定が抽選手段により行われ、そこで大当たりが終了するか更に大当たりが継続するかが決定される。継続が決定された際には、一連のラウンド数が１５回を超えない範囲でラウンド数が延長設定され（例えば、７回分が増加されて全体で１０回）、その旨を遊技者に報知する演出が遊技制御装置６０の制御によって適時に演出用照明装置９や図柄表示装置４３等に行われることにより、これらの内容等が遊技者の視覚に訴えるような演出表示として実行されることとなる。
【００５７】
上述したような遊技を遊技者が行うことによって、入賞口２５，２７、第１入賞口３１、第２入賞口３２、遊技球入賞口４６、及びＶゾーン入賞口４７へと遊技球が適宜入賞し、それぞれの入賞価値に応じた多量の遊技球が球供給口１３から上皿１２に払い出される。
【００５８】
上述した遊技中に、例えば、遊技者が不正に出玉を得る目的から、第１入賞口３１や第２入賞口３２に入賞したことで羽根部材３７が１回、２回と開閉動作するタイミングで、透明ガラス６におけるセンター役物２９に対向する部分を強く押しつけ、センター役物２９を撓ませて羽根部材３７を開放位置に保持し、特別入賞口３０からの入球を不正に行おうとしても、以下のように不正行為は確実に防止される。すなわち、透明ガラス６が遊技領域７ａ側に押し込まれると、移動する透明ガラス６がその内面で、ロッド部材７３の一端部７３ａを真っ先に押し込む。これにより、他端部７３ｂが、図４（ａ）に示す位置にあるカム部材７１のカム面７１ａに向けて進出するため、カム面７１ａに他端部７３ｂが滑りつつ次第に食い込むことでカム部材７１が矢印Ｂ方向に回動し、ソレノイド７５のプランジャ７５ａを押し込みつつ連動アーム７４が矢印Ｄ方向に回動して、羽根部材３７が矢印Ｃ方向に回動して特別入賞口３０を確実に閉止する（図４(b)）。
【００５９】
そして、不正行為者が透明ガラス６から手を離すと、ロッド部材７３は一端部７３ａへの押圧が解放されることで、無理に押し込まれていたプランジャ７５ａがソレノイド本体内部のスプリング（図示せず）の付勢力で突出するため、軸３８を介して羽根部材３７が矢印Ｃと逆方向に回動することで、図４（ａ）に示す開放状態に再度移行すると共に、ロッド部材７３が一端部７３ａを透明ガラス６側に移動させて元の位置に復帰する。
【００６０】
本実施の形態における強制閉止機構によると、上述のように、不正行為者が透明ガラス６を押し込んで羽根部材３７を開放状態に保持して遊技球を不正に多く入球させようとしても、透明ガラス６の押し込みとともに羽根部材３７を確実に閉止して、不正行為を確実に防止することができる。また、ロッド部材７３を透明ガラス６の内面近傍に配置し、該ロッド部材７３の移動に応じてカム部材７１で羽根部材３７を閉止方向に回動させるだけの簡単な構成により、不正行為を確実に阻止できる強制閉止機構を実現できるので、部品点数を削減し、コストダウンを期待できる。
【００６１】
更に、本実施の形態によれば、カム部材７１により、ロッド部材７３の他端部７３ｂの一方向の押圧力を、羽根部材３７を閉止する方向への回動力に変換できるので、当該カム部材７１を回動させるだけで羽根部材３７を強制的に閉止する構造がよりシンプルになる。そして、本実施の形態によると、所謂２種タイプのパチンコ機１において、羽根部材３７を開放状態に保持してセンター役物２９に不正に入球させるという不正行為を、確実に防止することができる。
【００６２】
＜第２の実施の形態＞
以上説明した第１の実施の形態では、透明ガラス６の移動に連動するカム部材７１により、遊技領域７ａの前後方向に延びる軸３８を中心に回動する羽根部材３７を閉止位置に強制的に戻すように構成したが、遊技領域７ａの左右幅方向に延びる軸８８を中心に回動する入賞開閉部材としての開閉プレート７９を強制的に閉止位置に戻すように構成した第２の実施の形態について、図６及び図７を参照して説明する。なお、図６は本実施の形態における強制閉止機構の概要を示す斜視図、図７は該強制閉止機構を詳細に示す側面図であり、（ａ）は開閉プレート７９の閉止状態、（ｂ）は開閉プレート７９の開放状態、（ｃ）は開放した開閉プレート７９を強制的に閉止した状態をそれぞれ示している。
【００６３】
本第２の実施の形態は、所謂第１種特別電動役物を用いたパチンコ機のアタッカー８４の部分に適用されるものであるが、このアタッカー８４の部位は、前述したセンター役物２９の羽根部材３７ほどには透明ガラス６を押し込んだことによる影響を受け難いが、該アタッカー８４を備えた状態で遊技盤７７に装着されるアタッカーユニットの突出部分等を介してアタッカー８４周囲が撓むことで該アタッカー８４の回動動作が損なわれるような状況があるものとして説明する。
【００６４】
すなわち、本実施の形態では、図６及び図７に示すように、遊技盤７７の下部側にて横長矩形状に貫通・形成された開口部９２に、アタッカー８４を含むアタッカーユニットのユニット本体９３が嵌め込まれて固定されている。該ユニット本体９３には、横長矩形状の開口部７８が貫通・形成されており、該開口部７８に対して開閉動作するように矩形状の開閉プレート（入賞開閉部材）７９が取り付けられ、透明ガラス６の内面に一端部８１ａを近接させるようにロッド部材８１が設けられている。該ロッド部材８１は、遊技領域内にあるいずれの遊技部品よりも透明ガラス６内面側に近接しており、該透明ガラス６が不正に押し込まれた際には真っ先に一端部８１ａが押圧されるように構成される。また、ユニット本体９３におけるアタッカー８４の右下方には、該ユニット本体９３を貫通する孔８０が形成されており、該孔８０にロッド部材８１が摺動自在に貫通している。アタッカー８４は、遊技盤７７の遊技領域にユニット本体９３を介して設けられ、当たり当選時に賞球用に開放して、該遊技領域に打ち出された遊技球を受け入れる大入賞口を構成している。上記開閉プレート７９は、遊技領域に設けられて該遊技領域の左右方向の軸８８を中心に回動して開閉動作するように構成される。
【００６５】
図７（ａ）に示すように、開閉プレート７９は下部側を、遊技盤７７の左右幅方向に延び、ユニット本体９３に支持された軸８８（図６参照）によって回動自在に支持されており、該軸８８には、開口部７８の内方の下部側に斜めに延びるようにアーム８７が固定されている。開口部７８の内方下部には、軸９１によって回動自在に支持された「へ」字状のリンク部材（被作動部材）９０が配置されている。該リンク部材９０は、上記軸９１を介してユニット本体９３側に回動自在に支持された状態で、軸９１から距離の短い一端部９０ａをロッド部材８１の他端部８１ｂに対向させ、かつ他端部９０ｂを、開口部７８の後方側にてユニット本体９３側に位置決め固定されたソレノイド８６のプランジャ８６ａの先端部に上記アーム８７とともにピン８９で回動自在に支持されている。なお、本実施の形態では、リンク部材９０とロッド部材８１とから強制閉止機構が構成されている。
【００６６】
また、遊技盤７７の裏側には、孔８０の下側から上方に立ち上がる形状を呈してユニット本体９３に基部が固定された支持部材８２が配置されており、該支持部材８２に形成された摺動孔には、ロッド部材８１の他端部８１ｂが摺動自在に貫通している。ロッド部材８１におけるユニット本体９３裏面と支持部材８２との間には円形状のプレート部材８５が固定されており、該プレート部材８５と支持部材８２との間には、スプリング８３が縮設されている。これにより、ロッド部材８１は、一端部８１ａが押圧されてスプリング８３の付勢力に抗して遊技盤７７側（ユニット本体９３側）に移動し、また該一端部８１ａへの押圧力が解除されるとスプリング８３の付勢力に準じて元の状態に復帰する。この構造によりリンク部材９０は、ロッド部材８１の他端部８１ｂの一方向（図７の(c)の矢印ｂ方向）の押圧力を、開閉プレート７９を閉止する方向（図７の(c)の矢印ｃ方向）への回動力に変換するように構成される。
【００６７】
上記構成を有する本パチンコ機での遊技中、図７（ａ）に示す閉止状態のアタッカー８４が大当たり発生によって、図７（ａ）ではプランジャ８６ａを突出させていたソレノイド８６が図７（ｂ）に示すように後退することで、ピン８９を介して上昇させられるアーム８７により開閉プレート７９が軸８８を中心に矢印ａ方向に回動して、開口部７８を開放する。この開放から所定球数の入賞（又は所定時間の経過）があった時点で開閉プレート７９が一旦閉止し、この開閉動作が所定回数（ラウンド）だけ実行されるのであるが、当該開閉プレート７９が開放した時点で透明ガラス６を強く押しつけて該開閉プレート７９を開放位置に保持して不正行為を行おうとしても、透明ガラス６が押し込まれた時点で、図７（ｃ）に示すように、直ちに一端部８１ａがスプリング８３に抗して矢印ｂ方向に押し込まれ、該ロッド部材８１の他端部８１ｂがリンク部材９０の一端部９０ａを押圧する。これにより、該リンク部材９０が軸９１を中心に反時計回り方向に回動するため、ソレノイド８６の後退したプランジャ８６ａが引き出されつつアーム８７が押し下げられる。このため、開閉プレート７９が強制的に矢印ｃ方向に回動されて閉止位置に戻るので、開口部７８が確実に閉止される。なお、本実施の形態におけるソレノイド８６は、内部の圧縮スプリング（図示せず）の付勢力でプランジャ８６ａを後退させる一方、励磁することでプランジャ８６ａを突出させるように構成されており、第１の実施の形態とは逆の動作を行う。
【００６８】
その後、不正行為者が透明ガラス６から手を離した時点で、ロッド部材８１が解放されて、無理に引き出されていたプランジャ８６ａがソレノイド本体内部の圧縮スプリングの付勢力で後退することで、開閉プレート７９が再び図７（ｂ）に示す開放状態になると共に、ロッド部材８１が一端部８１ａを透明ガラス６側に移動させて元の位置に復帰する。
【００６９】
以上の第２の実施の形態では、リンク部材９０により、ロッド部材８１の他端部８１ｂの一方向の押圧力を、開閉プレート７９を閉止する方向への回動力に変換するので、当該リンク部材９０を回動させるだけで開閉プレート７９を強制的に閉止する機構の構造を一層簡単化し、装置構成をシンプルにしてコンパクト化することができる。また、当たり当選時に賞球用に開放して、該遊技領域に打ち出された遊技球を受け入れるアタッカー８４を備え、開閉プレート７９が、遊技領域にて左右方向の軸８８を中心に回動して開閉動作するので、所謂１種タイプのパチンコ機１においてアタッカー８４に対する不正な入賞を行おうとする不正行為を、確実に防止することができる。
【００７０】
以上、本発明をその好適な実施の形態に基づいて説明したが、本発明の弾球遊技機は、上記実施形態の構成にのみ限定されるものではなく、上記実施形態の構成から種々の修正及び変更を施した弾球遊技機も、本発明の範囲に含まれる。
【図面の簡単な説明】
【００７１】
【図１】本発明に係る実施の形態におけるパチンコ機の外部構造を示す正面図である。
【図２】本パチンコ機の遊技盤及び遊技領域を拡大して示す正面図である。
【図３】センター役物の内部領域を拡大したもので、（ａ）はＶゾーン案内装置が正面を向いた時点での正面図、（ｂ）はＶゾーン案内装置が横方向を向いた時点での正面図である。
【図４】強制閉止機構を拡大して詳細に示す斜視図であり、（ａ）は羽根部材の開放時における強制閉止機構の状態を示し、（ｂ）は強制閉止機構によって羽根部材を閉止した状態を示している。
【図５】本パチンコ機１の全体の制御系を示すブロック図である。
【図６】本発明に係る第２の実施の形態における強制閉止機構の概要を示す斜視図である。
【図７】強制閉止機構を詳細に示す側面図であり、（ａ）は開閉プレートの閉止状態、（ｂ）は開閉プレートの開放状態、（ｃ）は開放した開閉プレートを強制的に閉止した状態をそれぞれ示している。
【符号の説明】
【００７２】
１    弾球遊技機（パチンコ機）
２    筐体
３    前扉
６    ガラス板（透明ガラス）
７    遊技盤
７ａ    遊技領域
３０    入賞口（特定入賞口）
３７    入賞開閉部材（羽根部材）
７１    強制閉止機構、被作動部材、閉止部材（カム部材）
７３    強制閉止機構、移動部材（ロッド部材）
７３ａ    ロッド部材の一端部
７３ｂ    ロッド部材の他端部
７９    入賞開閉部材（開閉プレート）
８１    強制閉止機構、移動部材（ロッド部材）
８１ａ    ロッド部材の一端部
８１ｂ    ロッド部材の他端部
９０    強制閉止機構、被作動部材、閉止部材（リンク部材）
Ｂａ    遊技球
【図１】
0005051912.tif 000002
【図２】
0005051912.tif 000003
【図３】
0005051912.tif 000004
【図４】
0005051912.tif 000005
【図５】
0005051912.tif 000006
【図６】
0005051912.tif 000007
【図７】
0005051912.tif 000008